(57)【要約】【課題】  静止画撮影機能及び動画撮影機能を有する撮像装置において、動画撮影時開始時においても合焦した画像を記録可能とする。【解決手段】  シャッターボタンを一段押下して、静止画用オートフォーカス処理の合焦状態を維持するフォーカスロック状態にあるときに、動画録画ボタン６８を押下すると、静止画用オートフォーカス処理の合焦状態のまま動画記録処理が開始される。これにより、動画撮影開始時において被写体に対して合焦した状態とすることができ、動画撮影開始時にボケた画像が記録されてしまうという不都合を避けることができる。そして、動画記録中にシャッターボタンを放せば、動画用オートフォーカス処理が開始されることになり、被写体の変化に追従して合焦する動画を記録することができるようになる。【選択図】  図２
2006295494.tif 000002
【特許請求の範囲】
【請求項１】
フォーカスレンズを駆動したのち当該フォーカスレンズの駆動を停止する第１のフォーカスレンズ駆動手段と、
フォーカスレンズを逐次駆動しつづける第２のフォーカスレンズ駆動手段と、
動画記録を指示する動画記録指示手段と、
前記動画記録指示手段に応じて前記第２のフォーカスレンズ駆動手段によりフォーカスレンズの駆動をするとともに、前記第１のフォーカス駆動手段によりフォーカスレンズの駆動が停止している際に前記動画記録指示手段の操作があった場合には前記第２のフォーカスレンズ駆動手段によるフォーカスレンズの駆動を制限する制御手段とを備えたことを特徴とする撮像装置。
【請求項２】
前記第１のフォーカス駆動手段により、前記フォーカスレンズが被写体に対して合焦した後に停止することを特徴とする請求項１に記載の撮像装置。
【請求項３】
前記制御手段は、前記動画記録指示手段の操作があった場合でも、前記第１のフォーカス駆動手段により前記フォーカスレンズが停止している際に当該フォーカスレンズの停止が解除され場合、前記第２のフォーカスレンズ駆動手段により当該フォーカスレンズを駆動させることを特徴とする請求項２に記載の撮像装置。
【請求項４】
前記第１のフォーカスレンズ駆動手段は合焦動作を１回行うものであり、前記第２のフォーカスレンズ駆動手段は合焦動作を継続的に行うものであることを特徴とする請求項１〜３のいずれか１項に記載の撮像装置。
【請求項５】
静止画記録機能及び動画記録機能を有する撮像装置であって、
静止画記録の際に使用される第１のオートフォーカス動作と動画記録の際に使用される第２のオートフォーカス動作が可能なオートフォーカス手段と、
前記第１のオートフォーカス動作を動画記録の際に適用するための操作手段とを備えたことを特徴とする撮像装置。
【請求項６】
フォーカスレンズの駆動をロック及びアンロックする指示を行うフォーカスロック操作手段を備え、
前記フォーカスロック操作手段によりロック指示があった場合、オートフォーカス処理を実行させて、そのフォーカスレンズの位置を維持するとともに、その状態で動画記録の指示があった場合にアンロック指示があるまではオートフォーカス処理を制限することを特徴とする撮像装置。
【請求項７】
静止画記録機能及び動画記録機能を備え、動画記録を指示する動画記録指示手段とを有する撮像装置の制御方法であって、
前記動画記録指示手段に応じてフォーカスレンズを駆動する一方、当該フォーカスレンズの駆動をロックしている際に前記動画記録指示手段の操作があった場合には当該フォーカスレンズの駆動を制限することを特徴とする撮像装置の制御方法。
【請求項８】
静止画記録機能及び動画記録機能を有する撮像装置の制御方法であって、
静止画記録の際に使用される第１のオートフォーカス動作を行うステップと、
動画記録の際に使用される第２のオートフォーカス動作を行うステップと、
前記第１のオートフォーカス動作を動画記録の際に適用するステップとを有することを特徴とする撮像装置の制御方法。
【請求項９】
フォーカスレンズの駆動をロック及びアンロックする指示を行うフォーカスロック操作手段を有する撮像装置の制御方法であって、
前記フォーカスロック操作手段によりロック指示があった場合、オートフォーカス処理を実行させて、そのフォーカスレンズの位置を維持するとともに、その状態で動画記録の指示があった場合にアンロック指示があるまではオートフォーカス処理を制限することを特徴とする撮像装置の制御方法。
【請求項１０】
静止画記録機能及び動画記録機能を備え、動画記録を指示する動画記録指示手段とを有する撮像装置の制御するためのコンピュータプログラムであって、
前記動画記録指示手段に応じてフォーカスレンズを駆動する一方、当該フォーカスレンズの駆動をロックしている際に前記動画記録指示手段の操作があった場合には当該フォーカスレンズの駆動を制限する処理をコンピュータに実行させることを特徴とするコンピュータプログラム。
【発明の詳細な説明】
【技術分野】
【０００１】
本発明は、静止画撮影機能及び動画撮影機能を有する撮像装置、撮像装置の制御方法、及びコンピュータプログラムに関する。
【背景技術】
【０００２】
デジタルカメラ等の撮像装置においては、通常の静止画撮影機能に加え、動画撮影機能を有するものがある。かかるデジタルカメラでは、静止画撮影を行う静止画撮影モードと、動画撮影を行う動画撮影モードとを個別に設定し、キー操作等のユーザ操作によりモード遷移を行う仕様となっている。
【０００３】
この種の撮像装置として、例えば特許文献１に開示された電子カメラは、動画の記録実行中は連続的な合焦動作を行い、動画の記録動作実行中に静止画の記録動作が開始されると、実行中の連続的な合焦動作を停止するものである。ところが、動画撮影中の静止画撮影時に、動画用オートフォーカス処理を停止させてその合焦状態を維持するだけでは、必ずしも静止画撮影に適した合焦状態となるとは限らない。
【０００４】
また、特許文献２に開示されたスチルカメラ一体型ビデオカメラは、被写体を撮像した動画像の画像信号を磁気テープに記録するビデオカメラと、被写体の静止画像を写真フィルムに露光するスチルカメラとを一体構造としたものであり、スチルカメラに設けられた距離測定装置により測定された測距データに基づいてビデオカメラの自動焦点制御を行うことができるものである。ところが、静止画用オートフォーカス処理では被写体の変化に追従することができず、必ずしも動画撮影に適した合焦状態となるとは限らない。
【０００５】
【特許文献１】特開２０００−２２４４５８号公報
【特許文献２】特開平８−３０４９１７号公報
【発明の開示】
【発明が解決しようとする課題】
【０００６】
上述したように静止画撮影機能及び動画撮影機能を有し、静止画撮影用及び動画撮影用それぞれの操作部材を備えたデジタルカメラでは、静止画撮影時には合焦動作を１回行うオートフォーカス制御（シングルＡＦ（Single AF））を行い、動画撮影時には継続的に合焦動作を行うオートフォーカス制御（コンティニュアスＡＦ（Conti AF））を行う。
【０００７】
ところが、動画撮影開始後にコンティニュアスＡＦを開始すると、一旦、合焦していない状態から動画撮影を開始する場合がありうる。また、その後合焦している状態になったとしてもユーザが所望する焦点位置とは限らないという問題があった。
【０００８】
本発明は、上記のような点に鑑みてなされたものであり、動画撮影開始の際からユーザが所望する焦点位置での画像の記録を可能とすることを目的とする。
【課題を解決するための手段】
【０００９】
本発明の撮像装置は、フォーカスレンズを駆動したのち当該フォーカスレンズの駆動を停止する第１のフォーカスレンズ駆動手段と、フォーカスレンズを逐次駆動しつづける第２のフォーカスレンズ駆動手段と、動画記録を指示する動画記録指示手段と、前記動画記録指示手段に応じて前記第２のフォーカスレンズ駆動手段によりフォーカスレンズの駆動をするとともに、前記第１のフォーカス駆動手段によりフォーカスレンズの駆動が停止している際に前記動画記録指示手段の操作があった場合には前記第２のフォーカスレンズ駆動手段によるフォーカスレンズの駆動を制限する制御手段とを備えたことを特徴とする。
本発明の別の撮像装置は、静止画記録機能及び動画記録機能を有する撮像装置であって、静止画記録の際に使用される第１のオートフォーカス動作と動画記録の際に使用される第２のオートフォーカス動作が可能なオートフォーカス手段と、前記第１のオートフォーカス動作を動画記録の際に適用するための操作手段とを備えたことを特徴とする。
本発明の別の撮像装置は、フォーカスレンズの駆動をロック及びアンロックする指示を行うフォーカスロック操作手段を備え、前記フォーカスロック操作手段によりロック指示があった場合、オートフォーカス処理を実行させて、そのフォーカスレンズの位置を維持するとともに、その状態で動画記録の指示があった場合にアンロック指示があるまではオートフォーカス処理を制限することを特徴とする。
本発明の撮像装置の制御方法は、静止画記録機能及び動画記録機能を備え、動画記録を指示する動画記録指示手段とを有する撮像装置の制御方法であって、前記動画記録指示手段に応じてフォーカスレンズを駆動する一方、当該フォーカスレンズの駆動をロックしている際に前記動画記録指示手段の操作があった場合には当該フォーカスレンズの駆動を制限することを特徴とする。
本発明の別の撮像装置の制御方法は、静止画記録機能及び動画記録機能を有する撮像装置の制御方法であって、静止画記録の際に使用される第１のオートフォーカス動作を行うステップと、動画記録の際に使用される第２のオートフォーカス動作を行うステップと、前記第１のオートフォーカス動作を動画記録の際に適用するステップとを有することを特徴とする。
本発明の別の撮像装置の制御方法は、フォーカスレンズの駆動をロック及びアンロックする指示を行うフォーカスロック操作手段を有する撮像装置の制御方法であって、前記フォーカスロック操作手段によりロック指示があった場合、オートフォーカス処理を実行させて、そのフォーカスレンズの位置を維持するとともに、その状態で動画記録の指示があった場合にアンロック指示があるまではオートフォーカス処理を制限することを特徴とする。
本発明のコンピュータプログラムは、静止画記録機能及び動画記録機能を備え、動画記録を指示する動画記録指示手段とを有する撮像装置の制御するためのコンピュータプログラムであって、前記動画記録指示手段に応じてフォーカスレンズを駆動する一方、当該フォーカスレンズの駆動をロックしている際に前記動画記録指示手段の操作があった場合には当該フォーカスレンズの駆動を制限する処理をコンピュータに実行させることを特徴とする。
【発明の効果】
【００１０】
本発明によれば、動画撮影開始の際からユーザが所望する被写体へのフォーカスレンズの合焦を維持することにとって使い勝手の良いものになる。
【発明を実施するための最良の形態】
【００１１】
以下、添付図面を参照して、本発明の好適な実施形態について説明する。
図１は、本発明が適用される実施形態の撮像装置１００の構成を示す図である。同図において、１０はズームレンズ及びフォーカスレンズからなる撮影レンズである。１２は絞り機能を備えるシャッターである。１４は光学像を電気信号に変換する撮像素子である。１６は撮像素子１４のアナログ信号出力をデジタル信号に変換するＡ／Ｄ変換器である。
【００１２】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１３】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行う。さらに、画像処理回路２０においては、撮像した画像データを用いて所定の演算処理を行い、得られた演算結果に基づいてＴＴＬ方式のＡＷＢ（オートホワイトバランス）処理も行う。
【００１４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いは、Ａ／Ｄ変換器１６のデータが直接メモリ制御回路２２を介して、画像表示メモリ２４或いはメモリ３０に書き込まれる。
【００１５】
２４は画像表示メモリである。２６はＤ／Ａ変換器である。２８はＴＦＴ ＬＣＤ等からなる画像表示部であり、画像表示メモリ２４に書き込まれた表示用の画像データがＤ／Ａ変換器２６を介して画像表示部２８により表示される。画像表示部２８を用いて撮像した画像データを逐次表示すれば、電子ビューファインダ（ＥＶＦ）機能を実現することが可能である。また、画像表示部２８は、システム制御回路５０の指示により任意に表示をオン／オフすることが可能であり、表示をオフにした場合には撮像装置１００の電力消費を大幅に低減することができる。
【００１６】
３０は撮影した静止画像や動画像のデータを格納するためのメモリであり、所定枚数の静止画像のデータや所定時間の動画像のデータを格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００１７】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００１８】
４０は絞り機能を備えるシャッター１２を制御する露光制御部であり、フラッシュ４８と連携することによりフラッシュ調光機能も有するものである。４２は撮影レンズ１０のフォーカシングを制御する測距制御部である。露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００１９】
４４は撮影レンズ１０のズーミングを制御するズーム制御部である。４６はバリア１０２の動作を制御するバリア制御部である。４８はフラッシュであり、ＡＦ補助光の投光機能、フラッシュ調光機能も有する。
【００２０】
５０は撮像装置１００全体を制御するシステム制御回路である。５２はシステム制御回路５０の動作用の定数、変数、プログラム等を記憶するメモリである。５４はシステム制御回路５０でのプログラムの実行に応じて、動作状態を示すＬＥＤや発音素子等の組み合わせにより構成される表示部である。５６は電気的に消去・記録可能な不揮発性メモリであり、例えばＥＥＰＲＯＭ等が用いられる。
【００２１】
６０、６１、６２、６４、６６、６８、６９、及び７０はシステム制御回路５０の各種の動作指示を入力するための操作部材であり、スイッチやダイアル、タッチパネル、視線検知によるポインティング、音声認識装置等の単数或いは複数の組み合わせにより構成される。
【００２２】
ここで、これらの操作部材の具体的な説明を行う。６０は撮像装置１００の電源のオン／オフを行う電源スイッチである。６１は露出制御、ホワイトバランス制御、フォーカス制御等の撮影にかかわる制御をすべて自動で行うオート撮影モード、撮影にかかわる制御を手動で行うマニュアル撮影モード、動画撮影を行う動画撮影モード、再生モードを選択するモードダイアルである。
【００２３】
６２はシャッタースイッチSW1であり、シャッターボタンの一段押下でオンとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。６４はシャッタースイッチSW2であり、シャッターボタンの二段押下でオンとなり、撮像素子１４から読み出した信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００２４】
６６は画像表示スイッチであり、画像表示部２８のオン／オフ設定を行うことができる。この機能により、光学ファインダ１０４を用いて撮影を行う際に、ＴＦＴ ＬＣＤ等からなる画像表示部２８への電流供給を遮断することにより、省電力を図ることが可能となる。
【００２５】
６８は動画録画ボタンであり、撮像素子１４から読み出した信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理を繰り返し、動画として記録する動作の開始及び停止をすることができる。
【００２６】
６９はＡＦ（オートフォーカス）処理のロック／アンロックを指示するためのオートフォーカスロックボタンであり、測距制御部４２に対してＡＦ（オートフォーカス）処理の一時的な禁止及び再開を設定することができる。
【００２７】
７０は各種ボタンやタッチパネル等からなる操作部であり、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００２８】
８０は電源制御部であり、電池検出回路、ＤＣ-ＤＣコンバータ、通電するブロックを切り替えるスイッチ回路等により構成される。電源制御部８０においては、電池の装着の有無、電池の種類、電池残量の検出を行い、検出結果及びシステム制御回路５０の指示に基づいてＤＣ-ＤＣコンバータを制御し、必要な電圧を必要な期間、記録媒体を含む各部へ供給する。
【００２９】
８２及び８４はコネクタ、８６はアルカリ電池やリチウム電池等の一次電池やＮｉＣｄ電池やＮｉＭＨ電池、Ｌｉ電池等の二次電池、ＡＣアダプタ等からなる電源である。
【００３０】
９０及び９４はメモリカードやハードディスク等の記録媒体とのインタフェース、９２及び９６はメモリカードやハードディスク等の記録媒体と接続を行うコネクタ、９８はコネクタ９２、９６に記録媒体２００、２１０が装着されているか否かを検知する記録媒体着脱検知部である。なお、本実施形態では記録媒体を取り付けるインタフェース及びコネクタを２系統持つものとして説明しているが、単数或いは３系統以上の複数を備える構成としても構わない。また、異なる規格のインタフェース及びコネクタを組み合わせて備える構成としても構わない。インタフェース及びコネクタとしては、ＰＣＭＣＩＡカードやＣＦ（コンパクトフラッシュ(登録商標)）カード等の規格に準拠したものを用いて構成して構わない。さらに、インタフェース９０及び９４、そしてコネクタ９２及び９６をＰＣＭＣＩＡカードやＣＦ（コンパクトフラッシュ(登録商標)）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００３１】
１０２は撮像装置１００の撮影レンズ１０を含む撮像部を覆うことにより、撮像部の汚れや破損を防止する保護手段としてのバリアである。
【００３２】
１０４は光学ビューファインダ（ＯＶＦ）であり、画像表示部２８による電子ファインダ機能を使用すること無しに、光学ファインダ１０４のみを用いて撮影を行うことが可能である。また、光学ビューファインダ１０４内には、表示部５４の一部の機能、例えば、合焦表示、手振れ警告表示、フラッシュ充電表示、シャッタースピード表示、絞り値表示、露出補正表示等が設置されている。
【００３３】
１１０は通信部であり、ＲＳ２３２ＣやＵＳＢ、ＩＥＥＥ１３９４、Ｐ１２８４、ＳＣＳＩ、モデム、ＬＡＮ、無線通信等の各種通信機能を有する。１１２は通信部１１０により撮像装置１００を他の機器と接続するコネクタ或いは無線通信の場合はアンテナである。
【００３４】
２００はメモリカードやハードディスク等の記録媒体である。記録媒体２００は、半導体メモリや磁気ディスク等から構成される記録部２０２、撮像装置１００とのインタフェース２０４、撮像装置１００と接続を行うコネクタ２０６を備えている。同様に、２１０はメモリカードやハードディスク等の記録媒体である。記録媒体２１０は、半導体メモリや磁気ディスク等から構成される記録部２１２、撮像装置１００とのインタフェース２１４、撮像装置１００と接続を行うコネクタ２１６を備えている。
【００３５】
次に、図２のフローチャートを参照して、本実施形態の撮像装置１００での処理動作について説明する。電源投入後、システム制御回路５０は、シャッターボタンの一段押下を示すシャッタースイッチSW1のオンによる静止画用オートフォーカス処理が終了しているか否かを示すSW1フラグの状態を調べる（ステップＳ１００１）。静止画用オートフォーカス処理は、オートフォーカス用の露出制御を行うとともに、画像処理回路２０からの信号に基づいて画像のコントラストを検出しながら、フォーカスレンズ駆動可能範囲に渡って当該フォーカスレンズを駆動し、当該駆動のなかで、もっともコントラストが高かった位置を合焦位置としフォーカスレンズを移動する合焦動作を行うようなオートフォーカス処理である。
【００３６】
ステップＳ１００１においてSW1フラグがオフ、すなわちシャッタースイッチSW1のオンによる静止画用オートフォーカス処理が終了していなければ、システム制御回路５０は、オートフォーカスロックボタン６９によりオートフォーカス処理が一時的に禁止されているか否かを示すAF Lockフラグの状態を調べる（ステップＳ１００２）。
【００３７】
ステップＳ１００２においてAF Lockフラグがオフ、すなわちオートフォーカスロックボタン６９によりオートフォーカス処理が一時的に禁止されていなければ、システム制御回路５０は、動画用オートフォーカス処理を開始する（ステップＳ１００３）。動画用オートフォーカス処理は、露出制御は通常のままで、画像処理回路２０からの信号に基づいて画像のコントラストを検出しながら、フォーカスレンズ駆動可能範囲でフォーカスレンズを駆動し、コントラストが高い位置にむかってフォーカスレンズを移動しつづける。こうしたフォーカスレンズの駆動を連続的に行い、被写体の変化に追従するオートフォーカス処理である。
【００３８】
ステップＳ１００３において動画用オートフォーカス処理を開始したならば、システム制御回路５０は動作指示を入力するための操作部材からの入力検出を行う（ステップＳ１００４）。
【００３９】
なお、ステップＳ１００１においてSW1フラグがオン（すなわちシャッタースイッチSW1のオンによる静止画用オートフォーカス処理が終了している）の場合か、ステップＳ１００２においてAF Lockフラグがオン（すなわちオートフォーカスロックボタン６９によりオートフォーカス処理が一時的に制限され禁止されている）の場合は、動画用オートフォーカス処理をすることなくステップＳ１００４に移り、システム制御回路５０は動作指示を入力するための操作部材からの入力検出を行う。
【００４０】
ステップＳ１００４では、システム制御回路５０は入力が検出されるまで入力検出を繰り返し、入力が検出されたならば、その検出された入力が動画録画ボタン６８の押下を示す動画録画ボタンのオンかどうかを調べ（ステップＳ１００５）、動画記録ボタンのオンであれば、動画記録中かどうかを調べる（ステップＳ１００６）。
【００４１】
ステップＳ１００６において動画記録中でなければ、動画録画ボタン６８の押下が動画記録開始を指示するものであるので、システム制御回路５０は撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理を繰り返し、動画を記録する動作の開始を指示する（ステップＳ１００７）。ステップＳ１００７で動画記録処理を開始すると、ステップＳ１００１に戻る。
【００４２】
一方、ステップＳ１００６において動画記録中であれば、動画録画ボタン６８の押下が動画記録開始後の動画記録停止を指示するものであるので、システム制御回路５０は動画記録処理を停止する（ステップＳ１００８）。ステップＳ１００８で動画記録処理を停止すると、ステップＳ１００１に戻る。
【００４３】
次に、ステップＳ１００５において検出された入力が動画録画ボタン６８のオンでなければ、システム制御回路５０は、その検出された入力がシャッタースイッチSW1のオンかどうかを調べる（ステップＳ１００９）。
【００４４】
ステップＳ１００９において検出された入力がシャッタースイッチSW1のオンであれば、シャッタースイッチSW1のオンによる静止画用オートフォーカス処理が終了しているか否かを示すSW1フラグの状態を調べる（ステップＳ１０１０）。
【００４５】
ステップＳ１０１０においてSW1フラグがオフ、すなわちシャッタースイッチSW1のオンによる静止画用オートフォーカス処理が終了していなければ、システム制御回路５０は、オートフォーカスロックボタン６９によりオートフォーカス処理が一時的に禁止されているか否かを示すAF Lockフラグの状態を調べる（ステップＳ１０１１）。
【００４６】
ステップＳ１０１１においてAF Lockフラグがオフ、すなわちオートフォーカスロックボタン６９によりオートフォーカス処理が一時的に禁止されていなければ、システム制御回路５０は、静止画用オートフォーカス処理を実行する（ステップＳ１０１２）。既述したように、静止画用オートフォーカス処理は、オートフォーカス用の露出制御を行うとともに、画像処理回路２０からの信号に基づいて画像のコントラストを検出しながら、フォーカスレンズ駆動可能範囲を当該フォーカスレンズが駆動し、もっともコントラストが高かった位置を合焦位置とし、当該合焦位置にフォーカスレンズを移動する合焦動作を行うようなオートフォーカス処理である。
【００４７】
ステップＳ１０１２において静止画用オートフォーカス処理が終了したならば、SW1フラグをオンにして（ステップＳ１０１３）、ステップＳ１００１に戻る。
【００４８】
なお、ステップＳ１０１０においてSW1フラグがオン（すなわちシャッタースイッチSW1のオンによる静止画用オートフォーカス処理が終了している）の場合、ステップＳ１００１に戻る。また、ステップＳ１０１１においてAF Lockフラグがオン（すなわちオートフォーカスロックボタン６９によりオートフォーカス処理が一時的に禁止されている）の場合、SW1フラグをオンにして（ステップＳ１０１３）、ステップＳ１００１に戻る。
【００４９】
次に、ステップＳ１００９においてシャッタースイッチSW1のオンでなければ、システム制御回路５０は、その検出された入力がシャッターボタンを放したことを示すシャッタースイッチSW1のオフかどうかを調べる（ステップＳ１０１４）。
【００５０】
ステップＳ１０１４において検出された入力がシャッタースイッチSW1のオフであれば、SW1フラグをオフにして（ステップＳ１０１５）、ステップＳ１００１に戻る。
【００５１】
次に、ステップＳ１０１４においてシャッタースイッチSW1のオフでなければ、システム制御回路５０は、その検出された入力がシャッターボタンの二段押下を示すシャッタースイッチSW2のオンかどうかを調べる（ステップＳ１０１６）。
【００５２】
ステップＳ１０１６において検出された入力がシャッタースイッチSW2のオンであれば、システム制御回路５０は、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の静止画記録処理を開始する（ステップＳ１０１７）。ステップＳ１０１７で静止画記録処理を終了すると、ステップＳ１００１戻る。
【００５３】
次に、ステップＳ１０１６においてシャッタースイッチSW2のオンでなければ、システム制御回路５０は、その検出された入力がオートフォーカスロックボタン６９の押下を示すAF Lockのオンかどうかを調べる（ステップＳ１０１８）。
【００５４】
ステップＳ１０１８において検出された入力がAF Lockのオンであれば、システム制御回路５０は、AF Lockフラグの状態を調べる（ステップＳ１０１９）。
【００５５】
ステップＳ１０１９においてAF Lockフラグがオフであれば、SW1フラグの状態を調べる（ステップＳ１０２０）。
【００５６】
ステップＳ１０２０においてSW1フラグがオフであれば、システム制御回路５０は、静止画用オートフォーカス処理を実行する（ステップＳ１０２１）。既述したように、静止画用オートフォーカス処理は、オートフォーカス用の露出制御を行うとともに、画像処理回路２０からの信号に基づいて画像のコントラストを検出しながら、フォーカスレンズ駆動可能範囲を当該フォーカスレンズが駆動し、もっともコントラストが高かった位置を合焦位置とし、当該合焦位置に向けてフォーカスレンズを移動する合焦動作を行うようなオートフォーカス処理である。
【００５７】
ステップＳ１０２１において静止画用オートフォーカス処理が終了したならば、AF Lockフラグをオンにして（ステップＳ１０２２）、ステップＳ１００１に戻る。
【００５８】
なお、ステップＳ１０１８において検出された入力がAF Lockのオンでなければ、ステップＳ１００１に戻る。また、ステップＳ１０１９においてAF Lockフラグがオンであれば、AF Lockフラグをオフにして（ステップＳ１０２３）、ステップＳ１００１に戻る。また、ステップＳ１０２０においてSW1フラグがオンであれば、AF Lockフラグをオンにして（ステップＳ１０２２）、ステップＳ１００１に戻る。
【００５９】
いま、オートフォーカスロックボタン６９によりオートフォーカス処理が禁止されていないとして、例えば静止画撮影及び動画撮影のいずれも行っていない状態では、動画用オートフォーカス処理が開始されて（ステップＳ１００３）、動画録画ボタン６８を押下すれば動画記録処理が開始され、その後動画録画ボタン６８を再び押下すれば動画記録処理が停止する（ステップＳ１００４〜Ｓ１００８）。
【００６０】
また、静止画撮影及び動画撮影のいずれも行っていない状態で、シャッターボタンを一段押下すれば（シャッタースイッチSW1オン）（ステップＳ１００４、Ｓ１００５、Ｓ１００９）、静止画用オートフォーカス処理が実行されるとともに（ステップＳ１０１２）、SW1フラグがオンになって（ステップＳ１０１３）、ステップＳ１００３の動画用オートフォーカス処理が開始されなくなる（静止画用オートフォーカス処理の合焦状態を維持するフォーカスロック状態）。その後、シャッターボタンを二段押下すれば（シャッタースイッチSW2オン）（ステップＳ１０１４、Ｓ１０１６）、静止画記録処理が実行される。なお、シャッターボタンを一段押下した状態から放せば（シャッタースイッチSW1オフ）（ステップＳ１０１４）、SW1フラグがオフになるので（ステップＳ１０１５）、ステップＳ１００３の動画用オートフォーカス処理が開始される。
【００６１】
同様に、動画撮影を行っている状態でも、シャッターボタンを一段押下すれば（シャッタースイッチSW1オン）（ステップＳ１００４、Ｓ１００５、Ｓ１００９）、静止画用オートフォーカス処理が実行されるとともに（ステップＳ１０１２）、SW1フラグがオンになって（ステップＳ１０１３）、ステップＳ１００３の動画用オートフォーカス処理が開始されなくなる（静止画用オートフォーカス処理の合焦状態を維持するフォーカスロック状態）。その後、シャッターボタンを二段押下すれば（シャッタースイッチSW2オン）（ステップＳ１０１４、Ｓ１０１６）、静止画記録処理が実行される。このように、動画撮影中の静止画撮影時に、動画用オートフォーカス処理を停止させて、その合焦状態を維持するフォーカスロック状態とするのではなく、静止画用オートフォーカス処理を実行させて、その合焦状態を維持するフォーカスロック状態とするので、静止画撮影に適した合焦状態とすることができる。なお、シャッターボタンを一段押下した状態から放せば（シャッタースイッチSW1オフ）（ステップＳ１０１４）、SW1フラグがオフになるので（ステップＳ１０１５）、ステップＳ１００３の動画用オートフォーカス処理が開始される。
【００６２】
さらに、シャッターボタンを一段押下して（シャッタースイッチSW1オン）（ステップＳ１００４、Ｓ１００５、Ｓ１００９）、静止画用オートフォーカス処理の合焦状態を維持するフォーカスロック状態にあるときに、動画録画ボタン６８を押下すると（ステップＳ１００４、Ｓ１００５）、静止画用オートフォーカス処理の合焦状態のまま動画記録処理が開始される（ステップＳ１００７）。これにより、動画撮影開始時において被写体に対して合焦した状態とすることができ、動画撮影開始時にボケた画像が記録されてしまうという不都合を避けることができる。この場合に、動画記録中にシャッターボタンを放せば（ステップＳ１０１４）、SW1フラグがオフになるので（ステップＳ１０１５）、ステップＳ１００３の動画用オートフォーカス処理が開始されることになり、被写体の変化に追従して合焦する動画を記録することができるようになる。
【００６３】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００６４】
この場合、記憶媒体から読み出されたプログラムコード自体が上述した実施形態の機能を実現することになり、プログラムコード自体及びそのプログラムコードを記憶した記憶媒体は本発明を構成することになる。
【００６５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６６】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００６７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００６８】
【図１】本発明が適用される実施形態の撮像装置の構成を示す図である。
【図２】本実施形態の撮像装置での処理動作について説明する図である。
【符号の説明】
【００６９】
１０：撮影レンズ
１２：シャッター
１４：撮像素子
２０：画像処理回路
２２：メモリ制御回路
３２：画像圧縮・伸長回路
４０：露光制御部
４２：測距制御部
４４：ズーム制御部
５０：システム制御回路
６２：シャッタースイッチSW1
６４：シャッタースイッチSW2
６８：動画録画ボタン
６９：オートフォーカスロックボタン
１００：撮像装置
【図１】
2006295494.tif 000003
【図２】
2006295494.tif 000004